(57)【特許請求の範囲】
【請求項１】
次の要件（Ａ01）〜（Ａ05）を備えた画像形成装置、
（Ａ01）画像記録に必要な機能を設定可能な画像記録用操作パネルと、外部から入力された画像情報を記録媒体上に画像記録する画像記録用部品と、前記画像記録用部品の作動を制御する記録用コントローラと、前記記録用コントローラを外部のコントローラに接続するための外部接続端子とを有する画像記録装置、
（Ａ02）画像読取に必要な機能を設定可能な画像読取用操作パネルと、記録媒体上の画像情報を読み取って電気信号に変換して外部に出力する画像読取用部品と、前記画像読取用部品の作動を制御する読取用コントローラと、前記読取用コントローラを外部のコントローラに接続する外部接続端子とを有する画像読取装置、
（Ａ03）前記画像記録装置の外部接続端子および前記画像読取装置の外部接続端子を分離、接続可能に接続する端子接続部材、
（Ａ04）前記画像記録用操作パネルおよび画像読取用操作パネルの両操作パネルのうちの少なくとも一方の操作パネルが前記画像読取装置および画像記録装置を接続した複合装置で使用する複合機能を設定可能に構成された前記両操作パネル、
（Ａ05）前記端子接続部材が前記外部接続端子に接続されているか否かを検出する手段を有し、前記端子接続部材により前記画像記録装置および前記画像読取装置を接続した状態であることが検出された場合に、前記両操作パネルのうちの前記複合機能を設定可能に構成された一方の操作パネルの入力のみを有効とし、且つ他方の操作パネルの入力を自動的に禁止または無効にする有効パネル設定手段。
【請求項２】
次の要件（Ａ06）を備えた請求項１記載の画像形成装置、
（Ａ06）前記他方の操作パネルの表示を視認不可能または操作不可能にする手段により構成された前記有効パネル設定手段。
【発明の詳細な説明】
【０００１】
【発明の属する技術分野】
本発明は、電子写真方式等を用いた複写機、ＦＡＸ等の画像形成装置に関し、特に、外部から入力された画像情報を記録媒体上に画像記録する画像記録装置と用紙等の記録媒体上の画像情報を読み取って電気信号に変換して外部に出力する画像読取装置とを接続部材により接続し、画像記録機能および画像読取機能を組み合わせた複合機能有する装置として使用される画像形成装置に関する。
【０００２】
【従来の技術】
プリンタ（画像記録装置）にスキャナ（画像読取装置）をケーブル等の接続部材で接続して、複合機能（画像記録機能および画像読取機能を組み合わせた機能）を有する１個の画像形成装置とすることは、特開平７−２１９２１８号公報で開示されている。
【０００３】
【発明が解決しようとする課題】
前記プリンタおよびスキャナを接続して複合機能を有する１個の画像形成装置として使用する場合、プリンタおよびスキャナのそれぞれに操作パネルが設けられている場合は、複合機能を有する１個の画像形成装置に２個の操作部が存在することになり、使用者にとって煩雑であった。
【０００４】
本発明は前述の事情に鑑み、画像記録用操作パネルを有し外部から入力された画像情報を記録媒体上に画像記録する画像記録装置と、画像読取用操作パネルを有し用紙等の記録媒体上の画像情報を読み取って電気信号に変換して外部に出力する画像読取装置とが接続部材により接続、分離可能に構成され、分離された状態では前記画像記録装置および画像読取装置が独立して使用され、接続された状態では画像記録機能および画像読取機能の両機能を組み合わせた複合機能を有する１個の画像形成装置として使用される装置において、下記（Ｏ01）の記載内容を課題とする。
（Ｏ01）１個の画像形成装置として使用する場合には、画像記録用操作パネルおよび画像読取用操作パネルの両操作パネルの機能をいずれか一方の操作パネルで設定可能にするとともに、他方の操作パネルの入力を禁止または無効にすることにより、使い易い操作パネルを提供すること。
【０００５】
【課題を解決するための手段】
次に、本発明を説明するが、本発明の要素には、後述の実施例の要素との対応を容易にするため、実施例の要素の符号をカッコで囲んだものを付記する。
なお、本発明を後述の実施例の符号と対応させて説明する理由は、本発明の理解を容易にするためであり、本発明の範囲を実施例に限定するためではない。
【０００６】
（本発明）
前記課題を解決するために、本発明の画像形成装置は、下記の要件（Ａ01）〜（Ａ05）を備えたことを特徴とする、
（Ａ01）画像記録に必要な機能を設定可能な画像記録用操作パネル（Ｐ２）と、外部から入力された画像情報を記録媒体上に画像記録する画像記録用部品（Ｋ２）と、前記画像記録用部品（Ｋ２）の作動を制御する記録用コントローラ（Ｃ２）と、前記記録用コントローラ（Ｃ２）を外部のコントローラ（Ｃ１）に接続するための外部接続端子（Ｔ２ａ）とを有する画像記録装置（ＩＯＴ）、
（Ａ02）画像読取に必要な機能を設定可能な画像読取用操作パネル（Ｐ１）と、記録媒体上の画像情報を読み取って電気信号に変換して外部に出力する画像読取用部品（Ｋ１）と、前記画像読取用部品（Ｋ１）の作動を制御する読取用コントローラ（Ｃ１）と、前記読取用コントローラ（Ｃ１）を外部のコントローラ（Ｃ２）に接続する外部接続端子（Ｔ１ａ）とを有する画像読取装置（ＩＩＴ）、
（Ａ03）前記画像記録装置（ＩＯＴ）の外部接続端子（Ｔ２ａ）および前記画像読取装置（ＩＩＴ）の外部接続端子（Ｔ１ａ）を分離、接続可能に接続する端子接続部材（ＣＢ３）、
（Ａ04）前記画像記録用操作パネル（Ｐ２）および画像読取用操作パネル（Ｐ１）の両操作パネル（Ｐ１，Ｐ２）のうちの少なくとも一方の操作パネル（Ｐ１）が前記画像読取装置（ＩＯＴ）および画像記録装置（ＩＯＴ）を接続した複合装置（Ｕ）で使用する複合機能を設定可能に構成された前記両操作パネル（Ｐ１，Ｐ２）、
（Ａ05）前記端子接続部材（ＣＢ３）が前記外部接続端子（Ｔ１ａ，Ｔ２ａ）に接続されているか否かを検出する手段（ＳＮ１，ＳＮ２）を有し、前記端子接続部材（ＣＢ３）により前記画像記録装置（ＩＯＴ）および前記画像読取装置（ＩＩＴ）を接続した状態であることが検出された場合に、前記両操作パネル（Ｐ１，Ｐ２）のうちの前記複合機能を設定可能に構成された一方の操作パネル（Ｐ１）の入力のみを有効とし、且つ他方の操作パネル（Ｐ２）の入力を自動的に禁止または無効にする有効パネル設定手段（ＳＮ１＋ＳＮ２＋Ｃ１＋Ｃ２）。
【０００７】
（本発明の作用）
前記構成を備えた本発明の画像形成装置では、端子接続部材（ＣＢ３）は、画像記録装置（ＩＯＴ）の外部接続端子（Ｔ２ａ）および画像読取装置（ＩＩＴ）の外部接続端子（Ｔ１ａ）を分離、接続可能に接続する。
画像読取装置（ＩＩＴ）は、画像記録装置（ＩＯＴ）から分離された状態では画像読取装置（ＩＩＴ）として使用可能であり、その際、画像読取用操作パネル（Ｐ１）により画像読取に必要な機能を設定することができる。画像読取装置（ＩＩＴ）の読取用コントローラ（Ｃ１）は、画像読取用部品（Ｋ１）の作動を制御する。画像読取用部品（Ｋ１）は、記録媒体上の画像情報を読み取って電気信号に変換して外部に出力する。
画像記録装置（ＩＯＴ）は、画像読取装置（ＩＩＴ）から分離された状態では画像記録装置（ＩＯＴ）として使用可能であり、その際、画像記録用操作パネル（Ｐ２）により画像記録に必要な機能を設定することができる。画像記録装置（ＩＯＴ）の記録用コントローラ（Ｃ２）は、画像記録用部品（Ｋ２）の作動を制御する。画像記録用部品（Ｋ２）は、外部から入力された画像情報を記録媒体上に画像記録する。
【０００８】
画像読取装置（ＩＩＴ）および画像記録装置（ＩＯＴ）の各外部接続端子（Ｔ１ａ，Ｔ２ａ）を端子接続部材（ＣＢ３）により接続すると、読取用コントローラ（Ｃ１）と記録用コントローラ（Ｃ２）とが接続される。画像読取装置（ＩＩＴ）および画像記録装置（ＩＯＴ）が接続された状態では両装置（ＩＩＴ，ＩＯＴ）の機能を複合した複合機能を有する画像形成装置（Ｕ）として使用できるようになる。前記複合機能を有する画像形成装置（Ｕ）として使用する際、前記画像記録用操作パネル（Ｐ２）および画像読取用操作パネル（Ｐ１）の両操作パネル（Ｐ１，（Ｐ２）のうちの一方の複合機能を設定可能に構成した操作パネル（Ｐ１により、前記画像読取装置（ＩＩＴ）および画像記録装置（ＩＯＴ）を接続した画像形成装置（Ｕ）の機能を設定することができる。
また、前記端子接続部材（ＣＢ３）が前記外部接続端子（Ｔ１ａ，Ｔ２ａ）に接続されているか否かを検出する手段（ＳＮ１，ＳＮ２）によって、前記端子接続部材（ＣＢ３）により前記画像記録装置（ＩＯＴ）および前記画像読取装置（ＩＩＴ）を接続した状態であることが検出された場合に、前記両操作パネル（Ｐ１，Ｐ２）のうちの前記複合機能を設定可能に構成された前記一方の操作パネル（Ｐ１）の入力のみが有効であり、他方の操作パネル（Ｐ２）の入力は、有効パネル設定手段（ＳＮ１＋ＳＮ２＋Ｃ１＋Ｃ２）により自動的に禁止されるかまたは無効にされる。
したがって、画像形成装置（Ｕ）の使用者は常に、入力が禁止または無効でない操作パネル（Ｐ１）のみを使用することになるので、操作時にいずれの操作パネル（Ｐ１，Ｐ２）を使用するかについて迷うことがなくなる。
【０００９】
【発明の実施の形態】
（本発明の実施の形態１）
本発明の画像形成装置の実施の形態１は、前記本発明において下記の要件（Ａ06）を備えたことを特徴とする。
（Ａ06）前記他方の操作パネル（Ｐ２）の視認または操作を不可能にする手段により構成された前記有効パネル設定手段（ＳＮ１＋ＳＮ２＋Ｃ１＋Ｃ２）。
【００１０】
（本発明の実施の形態１の作用）
前記構成を備えた本発明の画像形成装置の実施の形態１では、有効パネル設定手段（ＳＮ１＋ＳＮ２＋Ｃ１＋Ｃ２）は、前記他方の操作パネル（Ｐ２）の視認または操作を不可能にする。したがって、画像形成装置（Ｕ）の使用者は視認可能または操作可能な操作パネルのみを操作すればよいので、操作パネルの選択に迷ったりすることがなくなる。
【００１１】
【実施例】
次に図面を参照しながら、本発明の実施例を説明するが、本発明は以下の実施例に限定されるものではない。
なお、以後の説明の理解を容易にするために、図面において、前後方向をＸ軸方向、右左方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００１２】
（実施例１）
図１は本発明の画像形成装置の実施例の斜視図である。
図１において、実施例１の画像形成装置（デジタル複写機）Ｕは、天板ＦＲａを有するフレームＦＲと、前記天板ＦＲａの下方に配置された画像記録装置ＩＯＴ（イメージアウトプットターミナルすなわち、画像記録装置）と、前記天板ＦＲａ上面に支持されたＩＩＴ（イメージインプットターミナルすなわち、画像読取装置）およびＡＤＦ（オートドキュメントフィーダすなわち、自動原稿搬送装置）とを有している。
ＩＩＴは画像読取用操作パネルＰ１および接続端子Ｔ１ａを有しており、ＩＯＴは画像記録用操作パネルＰ２および接続端子Ｔ２ａを有している。操作パネルＰ１，Ｐ２はそれぞれ、液晶表示部と複数の入力キーとを有している。接続端子Ｔ１ａおよびＴ２ａはケーブル（端子接続部材）ＣＢ３により接続、分離可能に接続されている。
ＩＯＴはその上面に排紙トレイＴＲｈを有しており、前記ケーブルＣＢ３によりＩＩＴに接続された図１に示す使用状態では、ＩＩＴで読み取られた原稿画像を記録シートに記録して排紙トレイＴＲｈに排出する。
前記ＩＩＴおよびＩＯＴは、前記ケーブルＣＢ３を外した状態では、それぞれ図２、図４に示すように、パソコンＰＣに接続してイメージスキャナおよびプリンタとして使用可能である。
【００１３】
図２は前記図１の画像形成装置のＩＩＴをＩＯＴから分離してパソコンに接続してイメージスキャナとして使用する場合の状態を示す斜視図である。
図３は前記図２のブロック線図である。
図１〜図３において、前記ＡＤＦは原稿給紙トレイＴＧ１と原稿排出トレイＴＧ２を有している。原稿給紙トレイＴＧ１にセットされた原稿は、原稿搬送ロール等の原稿搬送装置構成部品Ｋ０により図示しない原稿読取位置を通って原稿排出トレイＴＧ２に排出される。前記原稿搬送ロール等の原稿搬送用部品Ｋ０の作動はマイコンにより構成されたＡＤＦコントローラＣ０により制御される。また、ＡＤＦはＩＩＴにの接続端子Ｔ１ａに接続、分離可能に接続される接続端子Ｔ０１を有している。
【００１４】
前記ＩＩＴは接続端子Ｔ１ａを有しており、ＩＩＴの接続端子Ｔ１ａと前記ＡＤＦの接続端子Ｔ０ａとはケーブルＣＢ０により接続されている。
ＩＩＴは、前記ＡＤＦにより原稿読取位置（図示せず）を通過する原稿画像を読み取るＣＣＤ（固体撮像素子）、ＩＰＳ（イメージプロセッシングシステム）等の画像読取用部品Ｋ１を有している。ＩＩＴコントローラＣ１はマイコンにより構成されており、操作パネルＰ１からの入力値に応じて、前記原稿読取用部品Ｋ１の作動制御信号を出力する。
またＩＩＴは、接続端子Ｔ１ｂおよびＴ１ｃを有しており、接続端子Ｔ１ｂはケーブルＣＢ０を介してＡＤＦに接続、分離可能であり、接続端子Ｔ１ｃはケーブルＣＢ１を介してパソコンＰＣに接続、分離可能である。ＩＩＴコントローラＣ１は、接続端子Ｔ１ａからケーブルＣＢ０を介してＡＤＦに作動制御信号を出力する。
【００１５】
なお、操作パネルＰ１は液晶表示部および複数の入力キー等により構成されており、液晶表示部には必要な機能を選択するための機能選択用アイコンおよびテンキー等が表示されている。前記入力キーや、表示されているアイコンまたはテンキー等を押すことにより必要な機能の設定が行えるようになっている。なお、このような操作パネルは従来周知である。
ＩＩＴをケーブルＣＢ１により直接パソコンＰＣに接続して使用する図２、図３の状態では、ＩＩＴはパソコンＰＣで使用するイメージスキャナとしての機能のみを操作パネルＰ１から設定できればよい。このため、接続端子Ｔ１ａに隣接してケーブル接続センサ（ケーブルＣＢ１が接続端子Ｔ１ａに接続されているか否かを検出するセンサ）ＳＮ１が設けられており、ＣＢ３センサＳＮ１がケーブル（端子接続部材）ＣＢ３を検出しないときには、液晶表示部により構成された操作パネルＰ１にはイメージスキャナとして必要な機能のみを設定可能な表示が行われる。
【００１６】
図４は前記図１の画像形成装置のＩＯＴをＩＩＴから分離してパソコンに接続してプリンタとして使用する場合の状態を示す斜視図である。
図５は前記図４のブロック線図である。
図１、図４、図５において、ＩＯＴ（画像記録装置）は、図示しない感光体、前記感光体表面を帯電させる帯電ロール、帯電した感光体表面に静電潜像を形成する潜像形成装置、前記静電潜像をトナー像に現像する現像器、現像されたトナー像を記録シートに転写ロール、前記記録シートに転写されたトナー像を定着する定着装置、給紙トレイに収容された記録シートを順次転写ロール、定着ロール、排紙トレイＴＲｈに排出するシート搬送装置等の画像記録用部品Ｋ２を有している。
ＩＯＴコントローラＣ２はマイコンにより構成されている。画像記録用操作パネルＰ２からの入力値に応じて、前記画像記録用部品Ｋ２の作動制御信号を出力する。
またＩＯＴは、接続端子Ｔ２ａおよびＴ２ｂを有しており、接続端子Ｔ２ａはケーブルＣＢ３（図１、図６参照）を介してＩＯＴに接続、分離可能であり、接続端子Ｔ２ｂはケーブルＣＢ２を介してパソコンＰＣに接続、分離可能である。
【００１７】
なお、画像記録用操作パネルＰ２は液晶表示部および複数の入力キーにより構成されており液晶表示部には、前記画像読取用操作パネルＰ１と同様に、必要な機能を選択するための機能選択用アイコンおよびテンキー等が表示されている。画像記録用操作パネルＰ２の複数の入力キーおよび液晶表示部に表示されているアイコンまたはテンキー等を押すことにより必要な機能の設定が行えるようになっている。なお、このような操作パネルは従来周知である。
ＩＯＴをケーブルＣＢ２により直接パソコンＰＣに接続して使用する図４、図５の状態では、ＩＯＴはパソコンＰＣで使用するプリンタとしての機能のみを操作パネルＰ２から設定できればよい。このため、接続端子Ｔ２ａに隣接してケーブル接続センサ（ケーブルＣＢ１が接続端子Ｔ２ａに接続されているか否かを検出するセンサ）ＳＮ２が設けられており、ＣＢ３センサＳＮ２がケーブル（端子接続部材）ＣＢ１を検出しないときには、操作パネルＰ２にはプリンタとして必要な機能のみを設定可能な表示が行われる。なお画像記録用操作パネルＰ２の表示の制御は、ＩＯＴコントローラＣ２が前記ケーブル接続センサＳＮ２の検出信号に応じて行う。
【００１８】
図６は前記図１の画像形成装置のブロック線図であり、前記ＩＩＴおよびＩＯＴをケーブル（端子接続部材）により接続して１個の画像形成装置（デジタル複写機）として使用する場合のブロック線図である。
図１、図６において、ＩＩＴの接続端子Ｔ１ａとＩＯＴの接続端子Ｔ２ａとはケーブル（端子接続部材）ＣＢ３により接続されている。ＩＩＴコントローラＣ１は、接続端子Ｔ１ａからケーブルＣＢ３を介してＩＯＴに作動制御信号を出力している。
前記ＩＩＴおよびＩＯＴをケーブルＣＢ３により接続して１個の画像形成装置（デジタル複写機）として使用する図１、図６の状態では、ＩＩＴおよびＩＯＴの両操作パネルＰ１，Ｐ２のうちのいずれか一方のみを使用して必要な機能の設定を行えるようにするのが好ましい。
【００１９】
このため、接続端子Ｔ１ａに隣接して設けた前記ケーブル接続センサ（ケーブルＣＢ３が接続端子Ｔ１ａに接続されているか否かを検出するセンサ）ＳＮ１がケーブル（端子接続部材）ＣＢ３を検出したときには、画像読取用操作パネルＰ１の液晶表示部には複合機能を有する画像形成装置（デジタル複写機）として必要な機能を設定可能な表示が行われる。また、前記ケーブルＣＢ３（端子接続部材）により前記画像記録装置ＩＯＴおよび前記画像読取装置ＩＩＴを接続した状態において、ＩＩＴコントローラＣ１は、前記両操作パネルＰ１，Ｐ２のうちの前記複合機能を設定可能に構成された操作パネルＰ１の入力のみを有効とする。また、操作パネルＰ２は使用する必要がないので、前記ケーブル接続センサＳＮ１がケーブル（端子接続部材）ＣＢ３を検出したときには、操作パネルＰ２の液晶表示部には表示が全く行われず、ＩＯＴコントローラＣ２は、操作パネルＰ２の入力を禁止または無効にする。
【００２０】
したがって、前記ケーブル接続センサＳＮ１，ＳＮ２およびコントローラＣ１，Ｃ２により、前記両操作パネルＰ１，Ｐ２のうちの前記複合機能を設定可能に構成された一方の操作パネル（Ｐ１）の入力のみを有効とし、且つ他方の操作パネル（Ｐ２）の入力を禁止または無効にする有効パネル設定手段（ＳＮ１＋ＳＮ２＋Ｃ１＋Ｃ２）が構成されている。
【００２１】
（実施例１の作用）
前記構成を備えた本発明の画像形成装置では、ケーブル（端子接続部材）ＣＢ３は、画像記録装置ＩＯＴおよび画像読取装置ＩＩＴの各外部接続端子（Ｔ２ａ，Ｔ１ａ）を分離、接続可能に接続する。
図２、図３において、画像読取装置ＩＩＴは、画像記録装置ＩＯＴから分離された状態では画像読取装置ＩＩＴの機能を使用可能であり、パソコンＰＣに接続してイメージスキャナとして使用される。その際、画像読取用操作パネルＰ１により画像読取に必要な機能を設定することができる。画像読取装置ＩＩＴの読取用コントローラＣ１は、画像読取用部品Ｋ１の作動を制御する。画像読取用部品Ｋ１は、記録媒体上の画像情報を読み取って電気信号に変換して外部に出力する。
【００２２】
図４、図５において、画像記録装置ＩＯＴは、画像読取装置ＩＩＴから分離された状態では画像記録装置ＩＯＴの機能を使用可能であり、パソコンＰＣに接続してプリンタとして使用される。その際、画像記録用操作パネルＰ２により画像記録に必要な機能を設定することができる。画像記録装置（プリンタ）ＩＯＴの記録用コントローラＣ２は、画像記録用部品Ｋ２の作動を制御する。画像記録用部品Ｋ２は、外部から入力された画像情報を記録媒体上に画像記録する。
【００２３】
図１、図６において、画像読取装置ＩＩＴおよび画像記録装置ＩＯＴの各外部接続端子Ｔ１ａ，Ｔ２ａを端子接続部材ＣＢ３により接続すると、読取用コントローラＣ１と記録用コントローラＣ２とが接続される。画像読取装置ＩＩＴおよび画像記録装置ＩＯＴが接続された状態では両装置ＩＩＴ，ＩＯＴの機能を複合した複合機能（画像読取機能および画像記録機能）を有する画像形成装置（複写機またはファクシミリ装置）Ｕとして使用できるようになる。前記複合機能を有する画像形成装置Ｕとして使用する際、前記画像記録用操作パネルＰ２および画像読取用操作パネルＰ１の両操作パネルＰ１，Ｐ２のうちの一方の操作パネル（画像読取用操作パネル）Ｐ１により、複合機能を有する画像形成装置Ｕで使用する機能を設定する。
また、前記端子接続部材ＣＢ３により前記画像記録装置ＩＯＴおよび前記画像読取装置ＩＩＴを接続した状態において、前記両操作パネルＰ１，Ｐ２のうちの前記複合機能を設定可能に構成された画像読取用操作パネルＰ１の入力のみが有効となり、他方の操作パネルＰ２の入力は、有効パネル設定手段（ＳＮ１＋ＳＮ２＋Ｃ１＋Ｃ２）により禁止されるかまたは無効にされる。
したがって、画像形成装置Ｕの使用者は常に、入力が有効な操作パネル（入力が禁止または無効でない操作パネル）Ｐ１のみを使用することになるので、操作時にいずれの操作パネルＰ１，Ｐ２を使用するかについて迷うことがなくなる。
【００２４】
（実施例２）
図７は本発明の画像形成装置の実施例２の要部説明図で、図７Ａは画像形成装置を構成する画像記録装置の画像記録用操作パネルの正面図、図７Ｂは前記図７ＡのＶIIＢ−ＶIIＢ線断面図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
図７においてこの実施例２では、ＩＯＴ（画像記録装置）の画像記録用操作パネルＰ２の表面を被覆可能なシャッタ（入力禁止手段）Ｓが設けられている。したがって、ＩＯＴとＩＩＴとを接続して複合機能を有する画像形成装置として使用する場合は、画像記録用操作パネルＰ２をシャッタＳにより遮蔽する。
この実施例２によれば、画像形成装置の使用者は、画像記録用操作パネルＰ２が遮蔽されているので、ＩＩＴの画像読取用操作パネルＰ１のみを、迷わず使用することができる。
【００２５】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更実施例を下記に例示する。
（Ｈ01）前記実施例において、ＩＩＴおよびＩＯＴをＣＢ３により接続して複合機能を有する装置（画像形成装置）として使用する際の機能設定は、読取用操作パネルＰ１のみを使用する代わりに、記録用操作パネルＰ２のみを使用するように構成することが可能である。
（Ｈ02）実施例１において、ケーブルＣＢ３でＩＩＴおよびＩＯＴを接続したことを自動的に検出するケーブル接続センサＳＮ１，ＳＮ２を省略することが可能であり、その場合、前記ケーブル接続センサＳＮ１，ＳＮ２の検出信号の代わりに、ケーブルＣＢ３で接続したことを入力するキーを設けてそのキーの入力信号を使用することが可能である。
【００２６】
【発明の効果】
前述の本発明の画像形成装置は、画像記録用操作パネルを有し外部から入力された画像情報を記録媒体上に画像記録する画像記録装置と、画像読取用操作パネルを有し用紙等の記録媒体上の画像情報を読み取って電気信号に変換して外部に出力する画像読取装置とが接続部材により接続、分離可能に構成され、分離された状態では前記画像記録装置および画像読取装置が独立して使用され、接続された状態では画像記録機能および画像読取機能の両機能を組み合わせた複合機能を有する１個の画像形成装置として使用される装置において、下記の効果（Ｅ01）を奏することができる。
（Ｅ01）１個の画像形成装置として使用する場合には、画像記録用操作パネルおよび画像読取用操作パネルの両操作パネルのいずれか一方の操作パネルで前記複合機能を設定可能にするとともに、他方の操作パネルの入力を禁止または無効にすることにより、使い易い操作パネルを提供することができる。
【図面の簡単な説明】
【図１】  図１は本発明の画像形成装置の実施例の斜視図である。
【図２】  図２は前記図１の画像形成装置のＩＩＴをＩＯＴから分離してパソコンに接続してイメージスキャナとして使用する場合の状態を示す斜視図である。
【図３】  図３は前記図２のブロック線図である。
【図４】  図４は前記図１の画像形成装置のＩＯＴをＩＩＴから分離してパソコンに接続してプリンタとして使用する場合の状態を示す斜視図である。
【図５】  図５は前記図４のブロック線図である。
【図６】  図６は前記図１の画像形成装置のブロック線図であり、前記ＩＩＴおよびＩＯＴをケーブル（端子接続部材）により接続して１個の画像形成装置（デジタル複写機）として使用する場合のブロック線図である。
【図７】  図７は本発明の画像形成装置の実施例２の要部説明図で、図７Ａは画像形成装置を構成する画像記録装置の画像記録用操作パネルの正面図、図７Ｂは前記図７ＡのＶIIＢ−ＶIIＢ線断面図である。
【符号の説明】
Ｃ１…読取用コントローラ、Ｃ２…記録用コントローラ、ＣＢ３…端子接続部材、ＩＩＴ…画像読取装置、ＩＯＴ…画像記録装置、Ｋ１…画像読取用部品、Ｋ２…画像記録用部品、Ｐ１…画像読取用操作パネル、Ｐ２…画像記録用操作パネル、Ｔ１ａ…外部接続端子、Ｔ２ａ…外部接続端子、
ＳＮ１＋ＳＮ２＋Ｃ１＋Ｃ２）…有効パネル設定手段。
【図１】
0003750473.tif 000002
【図２】
0003750473.tif 000003
【図３】
0003750473.tif 000004
【図４】
0003750473.tif 000005
【図５】
0003750473.tif 000006
【図６】
0003750473.tif 000007
【図７】
0003750473.tif 000008